(57)【要約】【課題】  配線による電気の導入や電池の装填が不要であり、観覧者自らの手動の力で電力が得られ、しかも、手動が終わった後で音声が発生するガイド付き案内装置を提供する。【解決手段】  ハンドルを回転して機械エネルギーとして蓄えた力を利用する発電装置と、その電力により作動する録音再生装置とを備え、発電装置については、機械エネルギーとして力を蓄えるために、バネ類が巻かれている巻戻りドラムに並列してそれからの巻取りドラムをハンドルと同軸に設け、巻取りドラムまたは巻戻りドラムのいずれかの軸と発電機との間に、その軸回転を高速に変換する変速器と、戻り軸回転のみを変速器に伝達する一方向回転接続クラッチとを設けた。【選択図】    図１
2005039987.tif 000002
【特許請求の範囲】
【請求項１】
ハンドルを回転して機械エネルギーとして蓄えた力を利用する発電装置と、その電力により作動する録音再生装置とを備え、発電装置については、機械エネルギーとして力を蓄えるために、バネ類が巻かれている巻戻りドラムに並列してそれからの巻取りドラムをハンドルと同軸に設け、巻取りドラムまたは巻戻りドラムのいずれかの軸と発電機との間に、その軸回転を高速に変換する変速器と、戻り軸回転のみを変速器に伝達する一方向回転接続クラッチとを設けたことを特徴とする音声ガイド付き案内装置。
【請求項２】
操作用のハンドルが突設され、且つ、そのハンドルを回転して機械エネルギーとして蓄えた力を利用す発電装置と、その電力により主に作動させる録音再生装置等を内装した本体としてのボックスを構成し、ボックスに、前記電気エネルギーの補助電源として備蓄するための太陽電池パネルの他、各種案内板やディスプレイパネルを搭載したことを特徴とする請求項１記載の音声ガイド付き案内装置。
【請求項３】
バネ類として定トルクバネを使用していることを特徴とする請求項１又は２記載の音声ガイド付き案内装置。
【発明の詳細な説明】
【技術分野】
【０００１】
この発明は、景勝地、名所、史跡等の案内やイベント会場、各種展示館の案内、さらには町内会の通知等のために屋内外に設置される音声ガイド付き案内装置に関する。
【背景技術】
【０００２】
景勝地を見晴らす展望台には案内板が置かれ、それには例えば、幾重にも並ぶ名山や湖沼、名刹等を描き、名称を付記して観光案内がなされるが、これは視覚のみに訴える案内であるため詳しい情報に不足し、分かりやすい話言葉による説明が欲しい場合がある。また、視覚障害者には案内を伝えることができないという問題があり、親切で行き届いた案内をなすには、音声を加えることが望ましい。
【０００３】
しかし、音声を加えた案内であると、録音再生装置を作動させる電気が必要となり、やっとでたどり着くような急峻な展望台では、既設の配電線から遠く、配電設備は経済的に望めないし、架空配電線が美観を損なうおそれがあり、法的に規制されているエリアもある（河川法、公園法など）。また、電池を用いるとなると、いずれその消耗により録音再生装置の機能が喪失する問題があるばかりか、電池の廃棄処分が地球環境を汚染するという問題もあるので、必ずしも安易に採り入れることはできない。
【０００４】
イベント会場や町内会の案内板においては、一般の配電線から電気を導入できるのでガイド装置付きとすることは普通には困難ではないが、配線導入の作業が必要な場合には面倒であり、また、配線してしまうと案内板を自由に移動させる制約ともなる。また、架空配線がこの場合も美観を損なう問題がある。
【発明の開示】
【発明が解決しようとする課題】
【０００５】
そこで、考えられるのは、ハンドルを回す等の手動で発電し、その電気により録音再生装置を作動させることが考えられる。しかし、このようにすると、ハンドル操作と同時に説明を聴くことになる不都合があり、また、手動の遅速によりスピーカーの音声が乱れるし、手動が終わると音声が途絶えるというように問題があった。
【０００６】
この発明は、上記のような実情に鑑みて、配線による電気の導入や電池の装填が不要であり、観覧者自らの手動の力で電力が得られ、しかも、手動が終わった後で音声が発生するガイド付き案内装置を提供することを目的とした。
【課題を解決するための手段】
【０００７】
上記の目的を達成するために、この発明は、ハンドルを回転して機械エネルギーとして蓄えた力を利用する発電装置と、その電力により作動する録音再生装置とを備え、発電装置については、機械エネルギーとして力を蓄えるために、バネ類が巻かれている巻戻りドラムに並列してそれからの巻取りドラムをハンドルと同軸に設け、巻取りドラムまたは巻戻りドラムのいずれかの軸と発電機との間に、その軸回転を高速に変換する変速器と、戻り軸回転のみを変速器に伝達する一方向回転接続クラッチとを設けたことを特徴とする音声ガイド付き案内装置を提供するものである。
【０００８】
音声ガイド付き案内装置を上記のように構成したから、録音再生装置に予め所定の案内をする録音を納めて一般に開放しておく。例えば、案内板の観覧者がその説明を聴きたいときには、ハンドルを所定回数、例えば３０回，６０回程度回す。そうすると、巻戻りドラムから巻取りドラムにバネ類、例えば定トルクバネとか、ゼンマイバネ等がその弾力に抗して巻き取られ、その蓄積された弾発力で巻き戻るときに、巻取りドラムまたは巻戻りドラムの軸に変速器を介して連結される発電機が高速回転して発電し、その電力で録音再生装置が作動し、録音されていた説明がスピーカーから発せられる。
【０００９】
変速器はドラムが戻るときにのみ発電機に高速回転に変換されるが、変速器が例えばギア、又はベルト若くはプーリーなどによりドラムの回転を制御する機能を有し、回転が長く且つ一定に持続するので、長い時間、例えば、３，４分というようにスピーカー音を持たせ得る。しかし、通常は１〜２分間が好ましいと思われる。
【００１０】
上記の発電装置の場合、録音再生等に要するだけの電力で足りることになるので、ハンドルを過度に回す必要がなく、ゼンマイを巻きすぎたためにそれが故障の原因とならないように、ゼンマイの巻き数が一定に達すると、スリップ機構が働いてそれ以上の巻き数の増加が防止されるようにすることが望ましい。
【００１１】
以上の音声ガイド付き案内装置を見る限りには、電気エネルギーを備蓄する電池（バッテリー）は不要ではあるが、ハンドルを回転する負担を軽減するために、太陽光発電パネルをボックスに取り付けて（請求項２）、その電力を備蓄しておき、備蓄電力を小出しにしてハンドルの回転数や負荷を少なくするようにする。
【発明の効果】
【００１２】
以上説明したように、この発明の音声ガイド付き案内装置によれば、ハンドルを回転する手動により電力を得るために、配線による電気の導入や電池が不要であり、設置場所に制約を受けることがなく、地球に優しく美観的に環境に配慮でき、しかも、手動が終わった後で音声が発生し、録音してある説明を安定した音で聞き取りやすいという優れた効果がある。
【発明を実施するための最良の形態】
【００１３】
次に、この発明の実施の形態を図面に基づいて説明する。
【００１４】
図１ないし図４は、一実施の形態を示したもので、その音声ガイド付き案内装置は、台車としての座台１の上に支柱としての左右一対の支持フレーム３，３を立設し、それに案内板５と、発電装置７や録音再生装置９等が納まるボックス６を架設し、ボックス６を支持する架設板１１の前面に起電ハンドル１３が突出している。
【００１５】
支持フレーム３，３は、アルミ押出形材等からなるもので、く字形であって後ろに傾斜した上端部に案内板５が見やすいようにその傾斜に沿って固定されている。この案内板５には、使用目的に応じて、地図、景観、文字、図面、写真等が表される。また、ハンドル１３の操作をしやすく、それが右手寄りに設けられる。
【００１６】
発電装置７は、定トルクバネ１５をハンドル１３で巻き取り、巻き戻る力を利用して発電機１７を起動させるようにしたもので、架設板１１の裏側にセパレータ１９を介して基板２１を設け、架設板１１と基板２１との間に、ハンドル１３により回転させる巻取りドラム２３と、巻戻りドラム２５とがそれぞれ軸２４，２６で架設される。また、基板２１の裏側にはハンドル１３側においてさらに裏側となる副基板２７を設け、それに例えばギアよる変速器２９を介して発電機１７が取り付けられ、基板２１と副基板２７との間には、一方向回転接続クラッチ３３が設けられる。
【００１７】
そこで、ハンドル１３を時計回りに回転すると、巻戻りドラム２５から巻取りドラム２３に定トルクバネ１５が巻き取られるが、その時の巻取りドラム２３の回転は一方向回転接続クラッチ３３で自動的に切断され変速器２９および発電機１７には伝達されなく、巻き戻される時にのみその回転が伝達され発電がなされる。この回転は変速器２９により一定に制御されるため、持続して一定の電力が得られ、安定した電気が録音再生装置９に送られることにより、スピーカー３５から音声が出されるようになっている。録音再生装置９は、メモリーカードや磁気テープ、磁気デスク等を使用するもので、電気的に録音再生ができればその種類を特に問題とするものではない。
【００１８】
また、架設板１１には、選択ボタン３７，３７，・・が配設され、それにより日本語や外国語の選択や、視聴覚障害者用の特別選択ができるようになされている。３８はキャスターである。なお、視覚障害者のために、案内板５には点字や凹凸による案内を表示することもある。
【００１９】
図５では、ねじによる高さ調整脚３９付きの座台１の上に、左右一対の支持フレーム３，３を立設し、その案内板５の枠組フレーム４０を軸４１を中心に角度変更可能に取り付けられる。
【００２０】
図６では座台１の上にボックス６を立設し、その上端に案内板５を設け、前面にハンドル１３を突設してある。その他、本発明装置は、携帯可能にまで小形化されることもあり、また聞き取りをイヤホーン式のガイド装置としてもよい。
【００２１】
図７および図８は、それぞれ既設の案内板及び公報パネルを改装したもので、図７の場合であると、既設の状態では、地面に立設される左右支持フレーム３，３の上端部に上下横材４２，４２を架設し、その間に案内板５を嵌め込んである。そこで、一方の支持フレーム３と下側の横材４２との間にその双方に止めてボックス６を備え、ボックス６にハンドル１３が突設される。
【００２２】
また、図８の場合であると、既設の状態では、台車としての座台１の上に左右一対の支持フレーム３，３を突設し、その上端部に公報パネル１０が設けてある。そして、公報パネル１０にハンドル１３付きボックス６を固着するとともに、額縁様の差替えパネルとしての特設パネル１０ａがやゝ前傾斜に取り付けられる。したがって、この場合は、ボックス６内の録音再生装置９（図３参照）の録音の変更に合わせて、特設パネル１０ａの展示品が差し替えられる。
【００２３】
なお、上記実施例では、バネ類が定トルクバネである場合について説明したが、その他ゼンマイバネなどであっても、同様に実施できることは言うまでもない。また、高速に変換する変速器としては、例えばギアの他に、ベルト又はプーリーなどであっても同様に使用し得ることは言うまでもない。
【００２４】
図９は、他の実施形態を示したもので、その音声ガイド付き案内装置は、座台１の上に塔立した本体としてのボックス６が立設され、本体ボックス６の前面の中腹よりも上にハンドル１３が設けられ、他の３側面に太陽光発電パネル５０を貼り合わせ、これにより起こされた電力を蓄積する電池が本体ボックス６に内装される。この蓄電により日中では、通常よりかなり少ない巻き数で使用が可能となる。また、本体ボックス６の上端面５２は前面から見やすいように前に低く傾斜し、その上に各種案内板やディスプレイパネルがはめ込まれる。
【００２５】
太陽光発電パネル５０は、補助電源として搭載されるもので、音声ガイド付き案内板の電源としての充電量を表示する電源としても利用する。表示は１から数個の発光ダイオードなどを使用し、そのうちの発光しているダイオードから所定の音声サービスに必要な巻き数を表示するものとする。
【００２６】
また、夜間に音声ガイドが制限されることにする場合がある。それについては、太陽光発電パネルを搭載して、発生する電気が微量な場合は、夜間になったと判断して使用が不可になるようにする。
【図面の簡単な説明】
【００２７】
【図１】この発明の一実施の形態を示す音声ガイド付き案内装置の斜視図である。
【図２】同音声ガイド付き案内装置の側面図である。
【図３】同音声ガイド付き案内装置のボックス内の構造を示す平面から見た断面図である。
【図４】図３のＡ−Ａ線矢視の断面図である。
【図５】他の実施の形態を示す音声ガイド付き案内装置の側面図である。
【図６】さらに他の実施の形態を示す音声ガイド付き案内装置の斜視図である。
【図７】さらに他の実施の形態を示す音声ガイド付き案内装置の正面図である。
【図８】さらに他の実施の形態を示す音声ガイド付き案内装置の正面図である。
【図９】さらに他の実施の形態を示す音声ガイド付き案内装置の斜視図である。
【符号の説明】
【００２８】
５  案内板
７  発電装置
９  録音再生装置
１０  公報パネル
１０ａ  特設パネル
１３  ハンドル
１５  ゼンマイ
１７  発電機
２３  巻取りドラム
２４，２６  軸
２５  巻戻りドラム
２９  変速器
３３  一方向回転接続クラッチ
５０  太陽光発電パネル
【図１】
2005039987.tif 000003
【図２】
2005039987.tif 000004
【図３】
2005039987.tif 000005
【図４】
2005039987.tif 000006
【図５】
2005039987.tif 000007
【図６】
2005039987.tif 000008
【図７】
2005039987.tif 000009
【図８】
2005039987.tif 000010
【図９】
2005039987.tif 000011